(57)【特許請求の範囲】
【請求項１】
吸込口および吹出口が形成され、左右部分に筐体側面を具備する筐体と、
該筐体の内部で前記吸込口と前記吹出口との間に配置された熱交換器と、
該熱交換器と前記吹出口との間に配置された送風ファンと、
該送風ファンと前記吹出口との間に形成され、左右部分に風路側壁を具備する吹出風路と、
前記吹出口の前面寄りに回転自在に配置され、調和空気の上下方向の吹出方向を案内する上下前風向板と、
該上下前風向板を回転する上下前駆動モーターと、
前記吹出口の後面寄りに回転自在に配置され、調和空気の上下方向の吹出方向を案内する上下後風向板と、
該上下後風向板を回転する上下後駆動モーターと、
前記風路側壁と前記筐体側面との間に形成され、前記上下前駆動モーターおよび前記上下後駆動モーターを収納するモーター収納庫と、
該モーター収納庫を覆うモーター覆い板と、
を有し、
前記モーター覆い板の前面寄りに形成されたモーター覆い板前切欠部と、該モーター覆い板前切欠部につながって前記風路側壁に形成された風路側壁前切欠部とによって、前記上下前風向板の羽根部分の端部分が侵入自在な前逃がし溝が形成され、
前記モーター覆い板の後面寄りに形成されたモーター覆い板後切欠部と、該モーター覆い板後切欠部につながって前記風路側壁に形成された風路側壁後切欠部とによって、前記上下後風向板の羽根部分の端部分が侵入自在な後逃がし溝が形成され、
前記上下前風向板が、略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下前風向板の軸固定部分が前記上下前駆動モーターの回転軸に直接または継手手段を介して連結され、
前記上下前風向板が回転されて前記吹出口の前面寄りを塞いだ状態では、前記上下前風向板の羽根部分の端部分が、前記モーター覆い板に略平行に対峙し、前記上下前風向板が回転されて前記吹出口の前面寄りを開いた状態では、前記上下前風向板の羽根部分の端部分が前記前逃がし溝に侵入し、
前記上下後風向板が、略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下後風向板の軸固定部分が前記上下後駆動モーターの回転軸に直接または継手手段を介して連結され、
前記上下後風向板が回転されて前記吹出口の後面寄りを塞いだ状態では、前記上下後風向板の羽根部分の端部分が、前記モーター覆い板に略平行に対峙し、前記上下後風向板が回転されて前記吹出口の後面寄りを開いた状態では、前記上下後風向板の羽根部分の端部分が前記後逃がし溝に侵入したりすることを特徴とする空気調和機の室内機。
【請求項２】
吸込口および吹出口が形成され、左右部分に筐体側面を具備する筐体と、
該筐体の内部で前記吸込口と前記吹出口との間に配置された熱交換器と、
該熱交換器と前記吹出口との間に配置された送風ファンと、
該送風ファンと前記吹出口との間に形成され、左右部分に風路側壁を具備する吹出風路と、
前記吹出口の前面寄りに回転自在に配置され、調和空気の上下方向の吹出方向を案内する上下前風向板と、
該上下前風向板を回転する上下前駆動モーターと、
前記吹出口の後面寄りに回転自在に配置され、調和空気の上下方向の吹出方向を案内する上下後風向板と、
該上下後風向板を回転する上下後駆動モーターと、
前記風路側壁と前記筐体側面との間に形成され、前記上下前駆動モーターおよび前記上下後駆動モーターを収納するモーター収納庫と、
該モーター収納庫を覆うモーター覆い板と、
を有し、
前記モーター覆い板の前面寄りに形成されたモーター覆い板前切欠部と、該モーター覆い板前切欠部につながって前記風路側壁に形成された風路側壁前切欠部とによって、前記上下前風向板の羽根部分の端部分が侵入自在な前逃がし溝が形成され、
前記上下前風向板が、略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下前風向板の軸固定部分が前記上下前駆動モーターの回転軸に直接または継手手段を介して連結され、
前記上下前風向板が回転されて前記吹出口の前面寄りを塞いだ状態では、前記上下前風向板の羽根部分の端部分が、前記モーター覆い板に略平行に対峙し、前記上下前風向板が回転されて前記吹出口の前面寄りを開いた状態では、前記上下前風向板の羽根部分の端部分が前記前逃がし溝に侵入し、
前記上下後風向板が、端部分に羽根切欠部が形成されている略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下後風向板の軸固定部分が前記上下後駆動モーターの回転軸に直接または継手手段を介して連結され、
前記上下後風向板が回転されて前記吹出口の後面寄りを塞いだ状態では、前記上下後風向板の羽根部分の端部分が、前記モーター覆い板に略平行に対峙し、前記上下後風向板が回転されて前記吹出口の後面寄りを開いた状態では、前記上下後風向板の羽根部分の端部分が前記モーター覆い板に略平行に対峙したり、あるいは、前記上下後風向板の羽根切欠部が風路側壁に対峙したりすることを特徴とする空気調和機の室内機。
【請求項３】
前記風路側壁前切欠部の前記送風ファンに近い側の側縁に沿って、前記風路側壁に風路側壁前突起部が立設され、該風路側壁前突起部によって前記風路側壁前切欠部への調和空気の侵入が抑えられることを特徴とする請求項１または２記載の空気調和機の室内機。
【請求項４】
前記風路側壁前突起部の前記風路側壁前切欠部側の壁面に、着露した際の露を保持することができる前突起部溝が形成されていることを特徴とする請求項３記載の空気調和機の室内機。
【請求項５】
前記風路側壁前突起部が、前記風路側壁前切欠部の前記送風ファンに近い側の側縁に連なった前突起部壁面と、該前突起部壁面の頂点から、前記送風ファンに近づく程前記風路側壁に近づいて前記風路側壁に連なる前突起部斜面と、を有することを特徴とする請求項３または４記載の空気調和機の室内機。
【請求項６】
前記風路側壁後切欠部の前記送風ファンに近い側の側縁に沿って、前記風路側壁に風路側壁後突起部が立設され、該風路側壁後突起部によって前記風路側壁後切欠部への調和空気の侵入が抑えられることを特徴とする請求項１記載の空気調和機の室内機。
【請求項７】
前記風路側壁後突起部の前記風路側壁後切欠部側の壁面に、着露した際の露を保持することができる後突起部溝が形成されていることを特徴とする請求項６記載の空気調和機の室内機。
【請求項８】
前記風路側壁後突起部が、前記風路側壁後切欠部の前記送風ファンに近い側の側縁に連なった後突起部壁面と、該後突起部壁面の頂点から、前記送風ファンに近づく程前記風路側壁に近づいて前記風路側壁に連なる後突起部斜面と、を有することを特徴とする請求項６または７記載の空気調和機の室内機。
【請求項９】
前記モーター覆い板の前記風路側に近い範囲が、前記風路側に近づく方向に折り曲げられた面取り部分が形成されることを特徴とする請求項１乃至８の何れかに記載の空気調和機の室内機。
【請求項１０】
前記吹出風路の風路後壁の、吹出口近傍で、かつ風路側壁の近傍である位置に、板状の風路後壁リブが設けられ、該風路後壁リブの吹出口側の端部が、該風路後壁リブの前記送風ファン側の端部よりも、外側に位置することを特徴とする請求項１乃至９の何れかに記載の空気調和機の室内機。
【請求項１１】
前記風路後壁リブに、着露した際の露を保持することができる風路後壁リブ溝が形成されていることを特徴とする請求項１０記載の空気調和機の室内機。
【発明の詳細な説明】
【技術分野】
【０００１】
本発明は空気調和機の室内機、特に、調和空気の吹出方向を案内する風向板が設置された空気調和機の室内機に関するものである。
【背景技術】
【０００２】
従来、空気調和機の室内機（以下、単に「室内機」と称す）、特に、壁面等に設置される室内機は、吹出風路に設置された調和空気の吹出方向を左右に案内する左右風向板（左右風向変更羽根に同じ）と、吹出口（吹出風路の終端に同じ）に設置された調和空気の吹出方向を上下に案内する上下風向板（上下風向変更羽根に同じ、以下、「上下風向板」と称す）が設置されている。
そして、上下風向板を回転させる機構として、上下風向板の回転軸を左右方向（上下方向に垂直な方向）に配置して、その回転軸に電動モーターの回転軸を直接接続した発明が開示されている（例えば、特許文献１参照）。
また、上下風向板を回転させる機構として、上下風向板の回転軸を左右方向に配置して、その回転軸と電動モーターの回転軸とをリンク機構によって連結する発明が開示されている（例えば、特許文献２参照）。
【先行技術文献】
【特許文献】
【０００３】
【特許文献１】特開昭６１−２８９２５９号公報（第３頁、第２図）
【特許文献２】特開２００７−１５５１８６号公報（第３頁、第２図）
【発明の概要】
【発明が解決しようとする課題】
【０００４】
特許文献１に開示された発明は、上下風向板の羽根部分の左右方向の一方の端面に回転軸を設置し、かかる回転軸に電動モーターの回転軸を接続している。また、吹出口に至る風路の左右は対向した一対の風路側壁によって形成され、風路側壁と室内機を形成する筐体の側面（以下、「筐体側面」と称す）との間には、所定のスペースが形成され、かかるスペースに電動モーターが配置されている。
そして、上下風向板が回転すると、羽根部分が風路（風路側壁に挟まれた範囲）の一部に侵入する。すなわち、上下風向板の左右方向の長さは、吹出口の左右方向の長さ（風路側壁同士の間隔に同じ）よりも短くなっている。
【０００５】
（あ）このため、上下風向板と風路側壁との間に隙間が生じるため、運転停止時に、吹出口が完全に閉塞されない印象を与え、意匠性を損なう一因になるという問題があった。
（い）また、調和空気を左右方向の広い範囲（斜め外側）に吹き出させるために、風路側壁の所定範囲を筐体側面に向かって折り曲げて、テーパー状範囲（一対の風路側壁においてはハ字状を呈する）を形成したいところ、かかるテーパー状範囲が露出するため、意匠性が阻害され、かかるテーパー状範囲を設けることができなかった。このため、調和空気の左右方向の吹出範囲が抑えられるという問題があった。
（う）一方、仮に、意匠性を犠牲にして、テーパー状範囲を設けたとしても、テーパー状範囲には羽根部分が存在しないため、テーパー状範囲を通過した調和空気は吹出方向が上下に案内されないという問題があった。
【０００６】
特許文献２に開示された発明は、特許文献１に開示された発明と同様に、上下風向板が回転すると、羽根部分が吹出口（風路側壁に挟まれた範囲）の一部に侵入するものであるため、前記問題（あ）があった。
（え）また、リンク機構は風路側壁と筐体側面との間に収納するものである。そのため、リンク機構を左右方向で薄く形成することによって、風路側壁を筐体側面に近づけることができるものの、電動モーターを風路に突出させないためには、かえって風路側壁と筐体側面とを離す必要があったり、電動モーターと室内機の構成部材（例えば、ドレン水を排出するドレンホースの接続部等）とが干渉しないようにするためには、筐体の奥行きを拡大したりする必要があった。このため、筐体の小型化が困難になるという問題があった。
【０００７】
この発明は、上記のような問題を解決するためになされたもので、第１の目的は、運転停止時に、上下風向板と風路側壁との間に隙間が生じないようにして、意匠性を担保することができる室内機を得るものである（第１の目的）。
また、調和空気の左右方向の吹出範囲を拡大しながらも、上下方向の吹出方向を案内することができる室内機を得るものである（第２の目的）。
さらに、室内機の構成部材と干渉しない構成によって、筐体の小型化を可能にする室内機を得るものである（第３の目的）。
【課題を解決するための手段】
【０００８】
本発明に係る空気調和機の室内機は、
吸込口および吹出口が形成され、左右部分に筐体側面を具備する筐体と、
該筐体の内部で前記吸込口と前記吹出口との間に配置された熱交換器と、
該熱交換器と前記吹出口との間に配置された送風ファンと、
該送風ファンと前記吹出口との間に形成され、左右部分に風路側壁を具備する吹出風路と、
前記吹出口の前面寄りに回転自在に配置され、調和空気の上下方向の吹出方向を案内する上下前風向板と、
該上下前風向板を回転する上下前駆動モーターと、
前記吹出口の後面寄りに回転自在に配置され、調和空気の上下方向の吹出方向を案内する上下後風向板と、
該上下後風向板を回転する上下後駆動モーターと、
前記風路側壁と前記筐体側面との間に形成され、前記上下前駆動モーターおよび前記上下後駆動モーターを収納するモーター収納庫と、
該モーター収納庫を覆うモーター覆い板と、
を有し、
前記モーター覆い板の前面寄りに形成されたモーター覆い板前切欠部と、該モーター覆い板前切欠部につながって前記風路側壁に形成された風路側壁前切欠部とによって、前記上下前風向板の羽根部分の端部分が侵入自在な前逃がし溝が形成され、
前記モーター覆い板の後面寄りに形成されたモーター覆い板後切欠部と、該モーター覆い板後切欠部につながって前記風路側壁に形成された風路側壁後切欠部とによって、前記上下後風向板の羽根部分の端部分が侵入自在な後逃がし溝が形成され、
前記上下前風向板が、略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下前風向板の軸固定部分が前記上下前駆動モーターの回転軸に直接または継手手段を介して連結され、
前記上下前風向板が回転されて前記吹出口の前面寄りを塞いだ状態では、前記上下前風向板の羽根部分の端部分が、前記モーター覆い板に略平行に対峙し、前記上下前風向板が回転されて前記吹出口の前面寄りを開いた状態では、前記上下前風向板の羽根部分の端部分が前記前逃がし溝に侵入し、
前記上下後風向板が、略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下後風向板の軸固定部分が前記上下後駆動モーターの回転軸に直接または継手手段を介して連結され、
前記上下後風向板が回転されて前記吹出口の後面寄りを塞いだ状態では、前記上下後風向板の羽根部分の端部分が、前記モーター覆い板に略平行に対峙し、前記上下後風向板が回転されて前記吹出口の後面寄りを開いた状態では、前記上下後風向板の羽根部分の端部分が前記後逃がし溝に侵入したりすることを特徴とする。
【発明の効果】
【０００９】
（ｉ）本発明は、風路側壁と筐体側面との間に形成されたモーター収納庫がモーター覆い板によって覆われ、上下前風向板および上下後風向板が回転された際（例えば、空気調和機が運転停止している間）、羽根部分の左右方向の端部分および羽根部分の左右方向の端部分が、それぞれモーター覆い板に略平行に対峙する。したがって、風路側壁と筐体側面との隙間が視認不能に覆われるから、室外機の意匠性が担保される。
（ｉｉ）また、モーター覆い板にスリット状のモーター覆い板前切欠部およびモーター覆い板後切欠部が形成され、これらにそれぞれ連通したスリット状の風路側壁前切欠部および風路側壁後切欠部が風路側壁に形成されたことによって、回転する上下前風向板および上下後風向板を何れも略矩状にすることが可能になっている。そして、上下前風向板および上下後風向板の左右方向の長さが、吹出口の左右方向の幅（風路側壁同士の距離に同じ）よりも大きいから、吹出口から吹き出された調和空気は上下方向に確実に案内される。よって、快適性が向上する。
（ｉｉｉ）特に、前方（左右方向に垂直な方向）に吹き出す時だけでなく、吹出口から左右方向に大きく傾いた「斜め外側」に吹き出す時にも、吹出口の斜め外方向にも上下前風向板および上下後風向板の端部分が存在しているから、吹き出された調和空気は上下方向にも案内される。よって、快適性が向上する。
（ｉｖ）さらに、モーター収納庫あるいは上下前駆動モーターおよび上下後駆動モーターの配置を変更することなく、上下前風向板および上下後風向板を拡大（左右方向の長さを吹出口の幅よりも長く）しているから、筐体を大きくする必要がなくなる。
【図面の簡単な説明】
【００１０】
【図１】本発明の実施の形態１に係る空気調和機の室内機の全体を示す斜視図および断面図。
【図２】図１に示す空気調和機の室内機の一部（風路側壁）を示す斜視図。
【図３】図１に示す空気調和機の室内機の一部（モーター収納庫）を示す斜視図。
【図４】図１に示す空気調和機の室内機の一部（モーター収納庫）を示す断面図。
【図５】図１に示す空気調和機の室内機の上下風向板を示す斜視図および断面図。
【図６】図１に示す空気調和機の室内機の上下風向板を示す斜視図および断面図。
【図７】本発明の実施の形態２に係る空気調和機の室内機の全体を示す斜視図。
【図８】図７に示す空気調和機の室内機の一部（風路側壁）を示す斜視図。
【図９】図７に示す空気調和機の室内機の冷房運転時の上下風向板を示す斜視図。
【図１０】本発明の実施の形態３に係る空気調和機の室内機を説明する全体を模式的に示す側面視の断面図。
【図１１】図１０に示す空気調和機の室内機の一部（風路側壁）を示す斜視図。
【図１２】図１１に示す一部（風路側壁）を拡大して示す側面図。
【図１３】図１１に示す一部（風路側壁）を拡大して示す正面図および斜視図。
【図１４】図１０に示す空気調和機の室内機の一部（突起部）の風流れを模式的に示す正面図。
【図１５】図１０に示す空気調和機の室内機の一部（突起部）とファン入力との関係を示す特性図。
【図１６】本発明の実施の形態４に係る空気調和機の室内機を説明する一部（風路側壁）を示す斜視図。
【図１７】本発明の実施の形態４に係る空気調和機の室内機を説明する一部（突起部）の風流れを模式的に示す正面図。
【発明を実施するための形態】
【００１１】
［実施の形態１］
図１〜図６は本発明の実施の形態１に係る空気調和機の室内機を説明するものであって、図１の（ａ）は全体を模式的に示す斜視図、図１の（ｂ）は側面視の断面を示す断面図、図２は一部（風路側壁）を示す斜視図、図３は一部（モーター収納庫）を示す斜視図（筐体側面を透視している）、図４の（ａ）は正面方向への吹出時の一部（モーター収納庫）を示す略平面視の断面図、図４の（ｂ）は側面方向への吹出時の一部（モーター収納庫）を示す平面視の断面図、図５の（ａ）は冷房運転時の上下風向板を示す斜視図、図５の（ｂ）は冷房運転時の上下風向板を示す側面視の断面図、図６の（ａ）は暖房運転時の上下風向板を示す斜視図、図６の（ｂ）は暖房運転時の上下風向板を示す側面視の断面図である。なお、各図は模式的に描いたものであって、各部材の形状や大きさは図示する形態に限定するものではない。また、各図において同じ部分または相当する部分には同じ符号を付し、一部の説明を省略する。
【００１２】
（筐体）
図１の（ａ）および（ｂ）において、空気調和機の室内機（以下、単に「室内機」と称す）１００は、筐体１０と、筐体１０内に設置された熱交換器２０および送風ファン３０と、を有している。
筐体１０は、筐体上面１１、筐体後面１２、筐体下面１３、筐体前面１４、及び筐体側面１５Ｌ、１５Ｒとを有し、筐体上面１１に室内空気を吸い込む吸込口１６と、筐体下面１３と筐体前面１４との間に調和空気を吹き出す吹出口１７が形成されている。
そして、吹出口１７には、調和空気を上下方向の所定方向に吹き出すように案内する上下前風向板５０Ｌ、５０Ｒおよび上下後風向板６０Ｌ、６０Ｒ（合計４枚）が、回転自在に設置されている（これについては別途詳細に説明する）。また、筐体前面１４には意匠パネル１９が設置されている。
【００１３】
熱交換器２０は、側面視において略Λ（ラムダ）字状に配置された、熱交換器前部分２０ａと熱交換器後部分２０ｂとから形成され、それぞれの下方には前ドレン受け２１ａおよび後ドレン受け２１ｂが配置されている。そして、前ドレン受け２１ａの下方に前ドレン受け２１ａの底面と略平行に風路前壁３１が配置され、風路前壁３１の前縁が筐体前面１４の下縁に当接している。また、送風ファン３０の後面寄りから吹出口１７にかけて風路後壁３２が設置されている。
また、筐体側面１５Ｒ、１５Ｌそれぞれに平行に風路側壁７０Ｒ、７０Ｌ（図示しない）が配置されている。
【００１４】
（吹出風路）
したがって、風路前壁３１、風路後壁３２、および風路側壁７０Ｒ、７０Ｌによって、断面矩形状の吹出風路３３が形成され、吹出風路３３の下端部が吹出口１７になっている。すなわち、送風ファン３０によって、吸込口１６から吹出風路３３を経由して吹出口１７に至る風流れが形成される。また、吸込口１６と熱交換器２０との間に、集塵用のフィルター１８が設置され、各部への埃等の付着を防止すると共に、清浄な調和空気を吹き出すようにしている。
【００１５】
（左右風向板）
さらに、吹出風路３３の左側には左右風向板４０Ｌが設置され、吹出風路３３の右側には左右風向板４０Ｌと面対称の構成である左右風向板（図示しない、説明の便宜上「左右風向板４０Ｒ」と称す場合がある）とが、設置されている。
左右風向板４０Ｌは風路前壁３１に設置され、左右方向に並設された複数枚の羽根４１Ｌａ、４１Ｌｂを有し、斜め下方に向かう回転軸を中心に所定角度だけ回転されることによって、吹出風路３３を流れる調和空気の吹出方向を左右方向の所定方向に案内している。なお、左右風向板４０Ｒは左右風向板４０Ｌと同様の構成であるから、説明を省略し、共通する内容については、符号の添え字「Ｒ、Ｌ」の記載を省略している。
【００１６】
（上下風向板）
上下前風向板５０Ｌ、５０Ｒは、左右方向に並べて配置され、それぞれ別個に回転されるものであるが、互いに面対称の構成であり、同様に、上下後風向板６０Ｌ、６０Ｒは、左右方向に並べて配置され、それぞれ別個に回転されるものであるが、互いに面対称の形状である。したがって、以下、共通する内容については、符号の添え字「Ｌ、Ｒ」の記載を省略して説明する。
また、左右方向の一方において、筐体側面１５Ｌと風路側壁７０Ｌとの間に上下前駆動モーター５７Ｌおよび上下後駆動モーター６７Ｌを収納するモーター収納庫９０Ｌが形成され（図３および図４参照）、モーター収納庫９０Ｌはモーター覆い板８０Ｌによって覆われている。
また、左右方向の他方において、前記と同様の構成で、筐体側面１５Ｌと風路側壁との間にモーター覆い板によって覆われたモーター収納庫（図示しない、以下、説明の便宜上、「風路側壁７０Ｒ」、「モーター覆い板８０Ｒ」、「モーター収納庫９０Ｒ」と称す場合がある）が形成されているが、以下、共通する内容については、符号の添え字「Ｒ、Ｌ」の記載を省略して説明する。
【００１７】
上下前風向板５０は、吹出口１７の前面寄りに回転自在に配置され、調和空気の上下方向の吹出方向を案内するものであって、左右方向に長い矩形状で、断面略円弧状の羽根部分５１と、羽根部分５１の左右方向の一方の羽根端部５２から所定範囲離れた位置に固定され、一方の面側に突出する腕部分５３と、腕部分５３に設けられた軸固定部分５４とを具備している。また、左右方向の他方の端部分（端面の位置または端面から離れた位置）には、一方の面側に突出する腕部分と、腕部分に設けられた軸受け部分または軸部分とを具備している（何れも図示しない）。
【００１８】
そして、軸固定部分５４は、上下前駆動モーター５７の回転軸５６にカプラー（継手手段に同じ）５５を介して連結（相対的に回転不能に固定）され、他方の端部の軸受け部分または軸部分は、筐体前面１４に設けられた軸または軸受けに回転自在に支持されている。したがって、上下前風向板５０は左右方向の回転軸を具備し、これを中心に回転する。
上下後風向板６０は、吹出口１７の後面寄りに回転自在に配置され、上下前風向板５０と同様な構成で同様の機能を奏するものである。すなわち、断面略円弧状の羽根部分６１と、腕部分６３と、軸固定部分６４とを具備している。そして、軸固定部分６４が、上下後駆動モーター６７の回転軸６６にカプラー６５を介して連結され、左右方向の回転軸を中心に回転する。
【００１９】
（逃がし溝）
図２において、風路側壁７０には、左右風向板４０を回転させるための左右リンク棒４４が貫通する風路側壁貫通孔７４と、上下前駆動モーター５７のカプラー５５を貫通させて回転自在に支持する風路側壁前軸受７５と、上下後駆動モーター６７のカプラー６５を貫通させて回転自在に支持する風路側壁後軸受７６とが設けられている。
そして、風路側壁前軸受７５と風路側壁後軸受７６との間に、スリット状の風路側壁前切欠部７１が形成され、風路側壁後軸受７６と風路側壁貫通孔７４との間に、スリット状の風路側壁後切欠部７２が、それぞれ形成されている。
一方、モーター覆い板８０には、風路側壁前切欠部７１に連続するモーター覆い板前切欠部８１と、風路側壁後切欠部７２に連続するモーター覆い板後切欠部８２が、それぞれ形成されている。
【００２０】
そして、風路側壁前切欠部７１の周縁とモーター覆い板前切欠部８１の周縁とは逃がし側板９１ａ、９１ｂによって接合され、逃がし側板９１ａ、９１ｂの上下方向の縁同士は逃がし天板９１ｃによって覆われ、逃がし側板９１ａ、９１ｂの左右方向の縁同士は逃がし端板９１ｄによって覆われている。すなわち、逃がし側板９１ａ、９１ｂと逃がし天板９１ｃと逃がし端板９１ｄとによって、所定幅で所定深さの凹部（以下、「前逃がし溝」と称す）９１が形成されている。
また、風路側壁後切欠部７２の周縁とモーター覆い板後切欠部８２の周縁とは逃がし側板９１ａ、９１ｂによって接合され、風路側壁前切欠部７１と同様に、逃がし側板９２ａ、９２ｂと逃がし天板９２ｃと逃がし端板９２ｄとによって、所定幅で所定深さの凹部（以下、「後逃がし溝」と称す）９２が形成されている。
さらに、モーター覆い板８０の風路側壁７０に近い所定の範囲が、風路側壁７０に近づく程、風上側に傾斜して、モーター覆い板面取り部分（カット部分に同じ）８３が形成されている。なお、モーター覆い板面取り部分８３は、風路側壁７０のモーター覆い板８０に近い所定範囲が、モーター覆い板８０に近づく程、風下側に傾斜しているものとみなすことができる。
【００２１】
（モーター収納庫）
図３および図４において、筐体側面１５と風路側壁７０との間に形成されたモーター収納庫９０は、前逃がし溝９１（正確には、逃がし側板９１ａ）の前面寄りの範囲に形成された上下前駆動モーター５７を収納する空間であるモーター収納庫前部分９５と、前逃がし溝９１と後逃がし溝９２（正確には、逃がし側板９１ｂと逃がし側板９２ａ）との間に形成された上下後駆動モーター６７を収納する空間であるモーター収納庫中部分９６と、前逃がし溝９２（正確には、逃がし側板９２ｂ）の後面寄りの範囲に形成された左右駆動モーター４６を収納する空間であるモーター収納庫後部分９４と、を有している。
さらに、モーター収納庫９０（筐体側面１５に近い位置に配置されている）の上方には、前ドレン受け２１ａの端部があり、その後方には、ドレンホース（図示しない）を接続するためのドレンソケット２２ａが配置されている。
【００２２】
（運転停止時）
図１の運転停止時において、吹出口１７の略全域が上下前風向板５０Ｌ、５０Ｒおよび上下後風向板６０Ｌ、６０Ｒによって覆われている。すなわち、上下前風向板５０Ｌ、５０Ｒ（以下、まとめて「上下前風向板５０」と称す）の前面側の側縁は筐体前面１４の下面側の側縁に重なるように当接または近接し、意匠パネル１９に滑らかに繋がる曲面を形成している。また、上下後風向板６０Ｌ、６０Ｒ（以下、まとめて「上下後風向板６０」と称す）の前面側の側縁は上下前風向板５０の下面側の側縁に重なるように当接または近接している。
【００２３】
さらに、上下前風向板５０Ｌの一方の羽根端部５２Ｌおよび上下後風向板６０Ｌの一方の羽根端部６２Ｌは筐体側面１５Ｌに近づき、一方の羽根端部５２Ｌからの所定範囲および一方の羽根端部６２Ｌからの所定範囲が、一方のモーター覆い板８０Ｌおよびモーター覆い板面取り部分８３Ｌを覆っている。
同様に、吹出口１７の右側においても、上下前風向板５０Ｒの他方の羽根端部５２Ｒおよび上下後風向板６０Ｒの他方の羽根端部６２Ｒは筐体側面１５Ｒに近づき、他方の羽根端部５２Ｒからの所定範囲および他方の羽根端部６２Ｒからの所定範囲が、他方のモーター覆い板８０Ｒおよびモーター覆い板面取り部分８３Ｒを覆っている（何れも図示しない）。
【００２４】
したがって、上下前風向板５０Ｌの羽根端部５２Ｌと風路側壁７０Ｌとの間、上下後風向板６０Ｌの羽根端部６２Ｌと風路側壁７０Ｌとの間に、隙間が形成されないから、美観が保たれ、意匠性に優れている。
同様に、吹出口１７の右側でも、上下前風向板５０Ｒの羽根端部５２Ｒと風路側壁７０Ｒ（図示しない）との間、上下後風向板６０Ｒの羽根端部６２Ｒと風路側壁７０Ｒ（図示しない）との間に、隙間が形成されないから、美観が保たれ、意匠性に優れている。
なお、上下後風向板６０の後面側の側縁と、筐体底面１３との間に隙間が形成されているが、筐体後面１２に近い位置であるため、該隙間が意匠性を阻害することはない。
【００２５】
（運転時）
このように構成された空気調和機の室内機１００において、運転指令が投入されると、送風ファン３０の回転によって吸込口１６から吸い込まれた室内空気はフィルター１８で除塵され熱交換器２０で冷風または温風に変わり、吹出風路３３を経由して、吹出口１７から吹き出される。その際、左右風向板４０Ｌ、４０Ｒ（以下、まとめて「左右風向板４０」と称す）の回転により吹出方向が左右方向に吹き分けられ、上下前風向板５０および上下後風向板６０（以下、まとめて「上下風向板」と称す）の回転により吹出方向が上下方向に吹き分けられる。
【００２６】
（上下風向板）
図５は冷房運転を示している。冷風は下に降りやすいため、上下前風向板５０および上下後風向板６０を少し回転して、略水平になっている。したがって、冷風は略水平に吹き出される。
図６は暖房運転を示している。温風は上に昇りやすいため、上下前風向板５０および上下後風向板６０を大きく回転して、略鉛直になっている。したがって、温風は略鉛直下方に吹き出される。
【００２７】
すなわち、上下方向に関しては、上下前駆動モーター５７Ｌ、５７Ｒおよび上下後駆動モーター６７Ｌ、６７Ｒの回転により上下前風向板５０および上下後風向板６０を回転させる。なお、上下前風向板５０Ｌ、５０Ｒおよび上下後風向板６０Ｌ、６０Ｒは、それぞれ独立して回転されるものであるから（それぞれに独立した上下前駆動モーター５７Ｌ等が接続されている）、それぞれの回転角度を変更、すなわち、それぞれの吹出角度を変更してもよい。例えば、正面視において右側では略水平方向に、正面視において左側では略斜め下方向に、吹き出すようにすることができる。
【００２８】
前記のように、上下前風向板５０および上下後風向板６０はそれぞれ矩形状の羽根部分５１および羽根部分６１を具備し、一方の羽根端部５２および端面６２は、吹出口１７の外側（風路側壁７０と筐体側面１５との間）に位置している。
そして、風路側壁７０とモーター覆い板８０とに跨って前逃がし溝９１および後逃がし溝９２が形成されているから、前記回転によって、羽根部分５１の後面側の羽根側縁５８および羽根部分６１の後面側の羽根側縁６８は、羽根端部５２に近い所定範囲がモーター覆い板前切欠部８１および風路側壁前切欠部７１に侵入しながら、吹出風路３３内に侵入して、上流側に移動することができる。
したがって、室内機１００は、上下前風向板５０の羽根端部５２と風路側壁７０との間に、および上下後風向板６０の羽根端部６２と風路側壁７０との間に、隙間を形成しないようにすると共に、上下前風向板５０および上下後風向板６０の回転を可能にしている。
【００２９】
（左右風向板）
左右風向板４０は、斜め下方に向かう回転支持部４２によって回転自在に支持された複数枚の羽根４１（図４において、羽根４１Ｌａ、４１Ｌｂの一方のみ描いている）と、回転支持部４２から所定距離離れた位置において、羽根４１に回動自在に設置された左右移動棒４３と、左右移動棒４３に接続された左右リンク棒４４と、左右リンク棒４４を駆動する左右駆動カム４５と、左右駆動カム４５を回転する左右駆動モーター４６とを、有している。
したがって、左右方向に関しては、左右駆動モーター４６Ｌの回転によって、左右風向板４０Ｌを左右方向に所定の角度だけ回転させ、吹出方向を左右方向で制御している。
このとき、左右風向板４０Ｌを左右方向に大きく回転させて、調和空気を大きく外側に向かって吹き出す際、モーター覆い板８０にはモーター覆い板面取り部分８３が形成されている（風路側壁７０のモーター覆い板８０に近い範囲が、外側に向かって拡がっている）から、吹き出された調和空気が風路側壁７０に遮られることがなく、スムースに吹き出される。したがって、室内の広い範囲に調和空気を送り出すことができる。
【００３０】
さらに、上下前風向板５０の羽根端部５２および上下後風向板６０の羽根端部６２は筐体側面１５に近く、モーター覆い板面取り部分８３を覆うことができる拡がりを具備しているから、調和空気が大きく外側に向かって吹き出された場合でも、該調和空気は羽根端部５２および羽根端部６２に近い範囲において所定の上下方向に案内される。
なお、吹出風路３３には、左右方向に、左右風向板４０Ｌとこれと略面対称に同様の左右風向板が設置され、それぞれ独立に回転されるから、それぞれを所定の回転角度に回転することによって、調和空気の左右方向の吹出方向を所定の方向に集中したり、所定の吹出範囲に拡げたりする（例えば、吹出口１７の左側半分からは左外側に向けて、吹出口１７の右側半分からは正面方向に向けて吹き出す）ことが可能になっている。
【００３１】
［実施の形態２］
図７〜図９は本発明の実施の形態２に係る空気調和機の室内機を説明するものであって、図７は全体を模式的に示す斜視図、図８は一部（風路側壁）を示す斜視図、図９は冷房運転時の上下風向板を示す斜視図である。なお、実施の形態１と同じ部分または相当する部分には同じ符号を付し、一部の説明を省略する。
図７〜図９において、空気調和機の室内機（以下、単に「室内機」と称す）２００は、室内機１００（実施の形態１）における後逃がし溝９２を撤去し、室内機１００における上下後風向板６０に替えて、上下後風向板６０の一方の羽根端部６２と後面側の羽根側縁６８との角に、風向板切欠部６９を設けたもの（以下、「上下後風向板２６０」と称す）を設置したものである。
【００３２】
すなわち、後逃がし溝９２がないにも関わらず、風向板切欠部６９を設けることによって、回転時に、上下後風向板２６０がモーター覆い板８０に干渉（衝突）しないようにしている。
したがって、左右駆動カム４５Ｌや左右駆動モーター４６Ｌと上下後駆動モーター６７Ｌとの間に、後逃がし溝９２を設けるスペースが確保できない場合に好適である。
なお、運転停止時に、モーター覆い板８０およびモーター覆い板前切欠部８３の後面寄りの範囲は、室内機１００よりも広い範囲が覆われなかったり、風路側壁７０と風向板切欠部６９との間に隙間が生じたりするものの、筐体後面１２に近い範囲であることから、意匠性が大きく阻害されることはない。
【００３３】
［実施の形態３］
図１０〜図１５は本発明の実施の形態３に係る空気調和機の室内機を説明するものであって、図１０は全体を模式的に示す側面視の断面図、図１１は一部（風路側壁）を示す斜視図、図１２は一部（風路側壁）を拡大して示す側面図、図１３の（ａ）は一部（風路側壁）を拡大して示す正面図、図１３の（ｂ）は一部（風路側壁）を拡大して示す斜視図、図１４は一部（突起部）の風流れを模式的に示す正面図、図１５は一部（突起部）とファン入力との関係を示す特性図である。
なお、実施の形態１と同じ部分または相当する部分には同じ符号を付し、一部の説明を省略する。また、実施の形態１と同様に、共通する内容については、符号の添え字「Ｌ、Ｒ」の記載を省略して説明する。
【００３４】
図１０〜図１４において、空気調和機の室内機（以下、単に「室内機」と称す）３００は、実施の形態１に示す室内機１００に、左右方向の外側に吹き出された調和空気が、風路側壁前切欠部７１および風路側壁後切欠部７２への侵入を防止するための、風路側壁前突起部７７および風路側壁後突起部７８と、調和空気の吹出幅を拡大するための風路後壁リブ７９とを設けたものに同じである。
【００３５】
（風路側壁前突起部）
風路側壁前突起部７７は、風路側壁前切欠部７１の送風ファン３０に近い側の側縁（風路側壁前切欠部７１の風上側）に沿って設置されている。
すなわち、風路側壁前突起部７７は、モーター収納庫９０の前逃がし溝９１を形成する風上側の逃がし側板９１ｂ（図１２参照）に沿って、筐体１０の中央方向（風路側壁７０に略垂直に同じ）に突出した前突起部壁面７７ａと、前突起部壁面７７ａの頂点（稜線）から風上側になるに従って風路側壁７０に接近する前突起部風上斜面７７ｂと、前突起部壁面７７ａの頂点（稜線）のモーター覆い板面取り部分８３に相当する範囲であって、モーター覆い板８０（筐体１０の外側に同じ）に向かって傾斜した前突起部外側斜面７７ｃと、モーター覆い板面取り部分８３に相当する範囲であって、前突起部風上斜面７７ｂのモーター覆い板８０（筐体１０の外側に同じ）の側縁と、前突起部外側斜面７７ｃの風上側の側縁とを連結して、モーター覆い板８０および風上側に向かって傾斜した前突起部繋ぎ斜面７７ｄと、を有している。
【００３６】
なお、図中、前突起部壁面７７ａ、前突起部風上斜面７７ｂ、前突起部外側斜面７７ｃおよび前突起部繋ぎ斜面７７ｄのそれぞれの境界を、模式的に実線にて描いているが、実際は、それぞれの境界は面取りされ、滑らかに繋がっている。すなわち、風路側壁前突起部７７は、風下側が逃がし側板９１ｂに連なる絶壁（垂直壁）と、風上側が傾斜し、風路側壁７０に連なる裾野とを有する略直角三角柱状の断面を有する山脈を呈している。
【００３７】
（風流れ）
したがって、風路側壁７０の近くを流れる調和空気は、風路側壁前突起部７７の前突起部風上斜面７７ｂに案内され、筐体１０の斜め中央方向に向かう方向に流れ方向をスムーズに曲げられ、流れる。同様に、モーター覆い板面取り部分８３の近くを流れる調和空気は、風路側壁前突起部７７の前突起部繋ぎ斜面７７ｄおよび前突起部外側斜面７７ｃに案内され、筐体１０の斜め中央方向に向かう方向に流れ方向をスムーズに曲げられ、流れる（図１５参照）。
すなわち、風路側壁前切欠部７１を飛び越えるような風流れ（以下、「前突起部風流れ」と称す）Ｗ７７がスムーズに形成されるから、調和空気の風路側壁前切欠部７１への侵入が、効率的に防止される。
また、左右風向板４０を外側に向けた場合、全体として外側に向かう調和空気の流れ（以下、「全体風流れ」と称す）Ｗ４０、つまり、風路側壁前切欠部７１に向かう全体風流れＷ４０は、前突起部風流れＷ７７に衝突（干渉）するから、調和空気の風路側壁前切欠部７１への侵入が防止される。
【００３８】
（着露）
なお、上下前風向板５０および上下後風向板６０が略水平方向に向いている場合、上下前風向板５０の位置によってはモーター覆い板８０が邪魔になって上下前風向板５０の下側を調和空気が流れない場合があるが、このとき、風路側壁前切欠部７１に調和空気が侵入して上下前風向板５０の上側を流れてしまうことがある。
特に、高温多湿環境での冷房運転においては、上下前風向板５０の上下で温度差が発生し、上下前風向板５０の上側は冷えているのに上下前風向板５０の下側の空気は高温多湿という状態になり、上下前風向板５０の下面に着露してしまい、露が成長して室内に滴下してしまう恐れがある。
しかしながら、室内機３００は、風路側壁前突起部７７を有し、これによって風路側壁前切欠部７１への調和空気の侵入を防ぐことができるから、前記上下前風向板５０の上側の冷却が防止され、下面の着露が抑えられると共に、下面に着露した場合でも、着露した露が、成長して室内に滴下する危険が抑えられている。
【００３９】
（前突起部溝）
さらに、風路側壁前突起部７７の前突起部壁面７７ａ（逃がし側板９１ｂに繋がる面）に、風路側壁７０に略垂直の方向（左右方向）に前突起部溝７７ｅが複数条が設けられている。したがって、仮に、前突起部風上斜面７７ｂに沿った流れが調和空気が巻き込まれて、前突起部壁面７７ａに着露が発生した場合でも、前突起部溝７７ｅが露を保持するから、露の滴下がさらに抑えられる。
なお、前突起部溝７７ｅの形状、大きさ、数量は限定するものではなく、表面張力を利用して露を保持することができる程度の凹凸であればよい。また、前突起部壁面７７ａと逃がし側板９１ｂとに跨って形成されたもの、あるいは、前突起部壁面７７ａと前突起部風上斜面７７ｂとに跨って形成されたものであってもよい。
一方、前突起部壁面７７ａへの着露が少ない使用環境の場合には、前突起部溝７７ｅの設置を省略してもよい。
【００４０】
（風路側壁前突起部の高さ等）
図１５は、縦軸が送風ファンの入力増加量、横軸は風路側壁前突起部７７の高さ（前突起部壁面７７ａの頂点（稜線）と風路側板７０との距離）である。図１５において、風路側壁前突起部７７の高さが１５ｍｍを超えると、高くなるに従って、ファンモーター入力が急激に増大する。したがって、風路側壁前突起部７７の高さを１５ｍｍ程度にしておけば、ファンモーター入力への影響はほとんどないため、室内機３００が必要とする電力量を、ほとんど増加させないで、前記着露の発生を抑えることができる。
なお、前記のように、風路側壁前切欠部７１への調和空気の侵入を防ぐことができれば、着露の発生を抑え、引いては露の室内への滴下を防ぐことができるため、風路側壁前突起部７７の形状は、前記のような断面略三角形（略直角三角形）の柱状に限定するものではなく、前突起部風上斜面７７ｂを曲面（例えば、凹面）にしたり、通風抵抗は大きくなるものの、平板リブ（前突起部風上斜面７７ｂが前突起部壁面７７ａに平行）等あってもよい。
【００４１】
（風路側壁後突起部）
風路側壁後突起部７８は、風路側壁後切欠部７２の送風ファン３０に近い側の側縁（風路側壁後切欠部７２の風上側）に沿って設置され、風路側壁前突起部７７と同様の構造である。
すなわち、風路側壁後突起部７８は、モーター収納庫９０の後逃がし溝９２を形成する風上側の逃がし側板９２ｂ（図１２参照）に沿って、筐体１０の中央方向（風路側壁７０に略垂直に同じ）に突出した後突起部壁面７８ａと、後突起部壁面７８ａの頂点（稜線）から風上側になるに従って風路側壁７０に接近する後突起部風上斜面７８ｂと、後突起部壁面７８ａの頂点（稜線）のモーター覆い板面取り部分８３に相当する範囲であって、モーター覆い板８０（筐体１０の外側に同じ）に向かって傾斜した後突起部外側斜面７８ｃと、モーター覆い板面取り部分８３に相当する範囲であって、後突起部風上斜面７８ｂのモーター覆い板８０（筐体１０の外側に同じ）の側縁と、後突起部外側斜面７８ｃの風上側の側縁とを連結して、モーター覆い板８０および風上側に向かって傾斜した後突起部繋ぎ斜面７８ｄと、を有している。
さらに、風路側壁後突起部７８の後突起部壁面７８ａ（逃がし側板９２ｂに繋がる面）に、風路側壁７０に略垂直の方向（左右方向）に複数条の後突起部溝７８ｅが設けられている。
【００４２】
したがって、風路側壁後突起部７８は、風路側壁前突起部７７と同様の作用効果を奏する。すなわち、風路側壁後切欠部７２への調和空気の侵入を防ぐことができるから、上下後風向板６０の上側の冷却が防止され、下面の着露が抑えられると共に、下面に着露した場合でも、着露した露が、成長して室内に滴下する危険が抑えられている。
さらに、仮に、後突起部壁面７８ａに着露が発生した場合でも、後突起部溝７８ｅが露を保持するから、露の滴下がさらに抑えられる。
【００４３】
（風路後壁リブ）
風路後壁３２の、吹出口１７近傍で、かつ風路側壁７０近傍の位置に、風路後壁リブ７９が設けられている。左右方向で、吹出口１７の幅が送風ファン３０の幅よりも広いため、風路側壁７０（吹出口１７の側端部に相当する）が送風ファン３０の側端部よりも外側に位置しているものの、送風ファン３０によって送り出された調和空気は、風路後壁リブ７９によって、風路側壁７０側に案内される。
つまり、調和空気を外側に吹き出したいときに、調和空気は風路後壁リブ７９によって、よりスムーズに外側に吹き出される。したがって、室内の広範囲に調和空気を送り出すことができる。
さらに、風路後壁リブ７９により調和空気に小さな渦が多数発生するため、調和空気が上下後風向板６０に沿いやすくなり、調和空気はよりスムーズに吹き出される。したがって、室内の広範囲に調和空気を送り出すことができる。
なお、風路後壁リブ７９は単数でも構わないが、複数枚あったほうがより高い効果を得ることができる。
ここで、風路後壁リブ７９には複数条の風路厚壁リブ溝（凹凸）７９ａが設けられ、仮に、風路後壁リブ７９そのものに着露が発生した場合でも、風路厚壁リブ溝７９ａに露を保持させて露の滴下が生じないようにしている。
なお、以上は、風路側壁前突起部７７と風路側壁後突起部７８と風路後壁リブ７９との３部材が設けられ、大きな効果を得ることができるが、本発明はこれに限定するものではなく、少なくとも何れか１部材が設けられたものであってもよい。
【００４４】
［実施の形態４］
図１６および図１７は本発明の実施の形態４に係る空気調和機の室内機を説明するものであって、図１６は一部（風路側壁）を示す斜視図、図１７は一部（突起部）の風流れを模式的に示す正面図である。なお、実施の形態２および実施の形態３と同じ部分または相当する部分には同じ符号を付し、一部の説明を省略する。また、実施の形態２および実施の形態３と同様に、共通する内容については、符号の添え字「Ｌ、Ｒ」の記載を省略して説明する。
【００４５】
図１６および図１７において、空気調和機の室内機（以下、単に「室内機」と称す）４００は、実施の形態２に示す室内機２００における風路側壁前切欠部７１および風路後壁３２に、それぞれ実施の形態３に示す風路側壁前突起部７７および風路後壁リブ７９を設けたものに同じである。
したがって、風路側壁前突起部７７によって、風路側壁前切欠部７１への調和空気の侵入を防ぐことができるから、上下前風向板５０の下面の着露が抑えられると共に、下面に着露した場合でも、着露した露が、成長して室内に滴下する危険が抑えられている。
また、仮に、前突起部壁面７７ａに着露が発生した場合でも、前突起部溝７７ｅが露を保持するから、露の滴下がさらに抑えられる。
さらに、調和空気は風路後壁リブ７９によって、よりスムーズに外側に吹き出されるから、室内の広範囲に調和空気を送り出すことができる。
なお、以上は、風路側壁前突起部７７と風路後壁リブ７９との２部材が設けられ、大きな効果を得ることができるが、本発明はこれに限定するものではなく、少なくとも何れか１部材が設けられたものであってもよい。
【符号の説明】
【００４６】
１０：筐体、１１：筐体上面、１２：筐体後面、１３：筐体下面、１４：筐体前面、１５：筐体側面、１６：吸込口、１７：吹出口、１８：フィルター、１９：意匠パネル、２０：熱交換器、２０ａ：熱交換器前部分、２０ｂ：熱交換器後部分、２１ａ：前ドレン受け、２１ｂ：後ドレン受け、２２ａ：ドレンソケット、３０：送風ファン、３１：風路前壁、３２：風路後壁、３３：吹出風路、４０Ｌ：左右風向板、４１Ｌ：羽根、４２Ｌ：回転支持部、４３Ｌ：左右移動棒、４４Ｌ：左右リンク棒、４５Ｌ：左右駆動カム、４６Ｌ：左右駆動モーター、５０Ｌ：上下前風向板、５０Ｒ：上下前風向板、５１Ｌ：羽根部分、５２Ｌ：羽根端部、５２Ｒ：羽根端部、５３Ｌ：腕部分、５４Ｌ：軸固定部分、５５Ｌ：カプラー、５６Ｌ：回転軸、５７Ｌ：上下前駆動モーター、５８Ｌ：羽根側縁、６０Ｌ：上下後風向板、６０Ｒ：上下後風向板、６１Ｌ：羽根部分、６２Ｌ：羽根端部、６２Ｒ：羽根端部、６３Ｌ：腕部分、６４Ｌ：軸固定部分、６５Ｌ：カプラー、６６Ｌ：回転軸、６７Ｌ：上下後駆動モーター、６８Ｌ：羽根側縁、６９Ｌ：風向板切欠部、７０Ｌ：風路側壁、７０Ｒ：風路側壁、７１Ｌ：風路側壁前切欠部、７２Ｌ：風路側壁後切欠部、７４Ｌ：風路側壁貫通孔、７５Ｌ：風路側壁前軸受、７６Ｌ：風路側壁後軸受、７７：風路側壁前突起部、７７ａ：前突起部壁面、７７ｂ：前突起部風上斜面、７７ｃ：前突起部外側斜面、７７ｄ：前突起部繋ぎ斜面、７７ｅ：前突起部溝、７８：風路側壁後突起部、７８ａ：後突起部壁面、７８ｂ：後突起部風上斜面、７８ｃ：後突起部外側斜面、７８ｄ：後突起部繋ぎ斜面、７８ｅ：後突起部溝、７９：風路後壁リブ、７９ａ：風路厚壁リブ溝、８０Ｌ：モーター覆い板、８０Ｒ：モーター覆い板、８１Ｌ：モーター覆い板前切欠部、８２Ｌ：モーター覆い板後切欠部、８３Ｌ：モーター覆い板面取り部分、８３Ｒ：モーター覆い板面取り部分、９０Ｌ：モーター収納庫、９１：前逃がし溝、９１ａ：逃がし側板、９１ｂ：逃がし側板、９１ｃ：逃がし天板、９１ｄ：逃がし端板、９２：後逃がし溝、９２ａ：逃がし側板、９２ｂ：逃がし側板、９２ｃ：逃がし天板、９２ｄ：逃がし端板、９４：モーター収納庫後部分、９５：モーター収納庫前部分、９６：モーター収納庫中部分、１００：室内機（実施の形態１）、２００：室内機（実施の形態２）、２６０：上下後風向板（実施の形態２）、３００：室内機（実施の形態３）、４００：室内機（実施の形態４）、Ｗ４０：全体風流れ、Ｗ７７：前突起部風流れ、Ｗ７８：前突起部風流れ。
【図１】
0005366901.tif 000002
【図２】
0005366901.tif 000003
【図３】
0005366901.tif 000004
【図４】
0005366901.tif 000005
【図５】
0005366901.tif 000006
【図６】
0005366901.tif 000007
【図７】
0005366901.tif 000008
【図８】
0005366901.tif 000009
【図９】
0005366901.tif 000010
【図１０】
0005366901.tif 000011
【図１１】
0005366901.tif 000012
【図１２】
0005366901.tif 000013
【図１３】
0005366901.tif 000014
【図１４】
0005366901.tif 000015
【図１５】
0005366901.tif 000016
【図１６】
0005366901.tif 000017
【図１７】
0005366901.tif 000018